(57)【要約】【課題】保守作業後の点検灯の消し忘れを防止でき、且つ保守員が昇降路内で保守作業を行っている間に点検灯が消えてしまうことを防止できるエレベーター装置を提供する。【解決手段】第１スイッチは、オンであれば点検灯１４を点灯させる。第２スイッチは、オフであれば発報を許可する。第３スイッチは、オフであれば運転モードを自動モードに設定する。判定部４１は、検出センサ１６が強制消灯状態を検出せず、且つ第２スイッチ又は第３スイッチの少なくとも一方がオフである場合に、強制消灯条件が成立したことを判定する。【選択図】図４
2020037471.tif 000002
【特許請求の範囲】
【請求項１】
エレベーターのかご室と、
前記かご室の外に設けられた点検灯と、
オンであれば前記点検灯を点灯させ、オフであれば前記点検灯を消灯させる第１スイッチと、
前記かご室に形成された出入口を開閉するドアと、
利用者が前記出入口から前記かご室に進入することを防止するための第１位置及び防止しない第２位置に配置可能な進入防止手段と、
前記進入防止手段が前記第１位置に配置された状態を検出する検出手段と、
オフであれば発報を許可し、オンであれば発報を禁止する第２スイッチと、
オフであれば運転モードを自動モードに設定し、オンであれば手動モードに設定する第３スイッチと、
前記検出手段が前記状態を検出せず、且つ前記第２スイッチ又は前記第３スイッチの少なくとも一方がオフである場合に、強制消灯条件が成立したことを判定する判定手段と、
前記第１スイッチがオンである時に前記強制消灯条件が成立すると、前記点検灯を消灯させる強制消灯手段と、
を備えたエレベーター装置。
【請求項２】
エレベーターのかご室と、
前記かご室の外に設けられた点検灯と、
オンであれば前記点検灯を点灯させ、オフであれば前記点検灯を消灯させる第１スイッチと、
前記かご室に形成された出入口を開閉するドアと、
利用者が前記出入口から前記かご室に進入することを防止するための第１位置及び防止しない第２位置に配置可能な進入防止手段と、
前記進入防止手段が前記第１位置に配置された状態を検出する検出手段と、
オフであれば発報を許可し、オンであれば発報を禁止する第２スイッチと、
前記検出手段が前記状態を検出せず、且つ前記第２スイッチがオフである場合に、強制消灯条件が成立したことを判定する判定手段と、
前記第１スイッチがオンである時に前記強制消灯条件が成立すると、前記点検灯を消灯させる強制消灯手段と、
を備えたエレベーター装置。
【請求項３】
エレベーターのかご室と、
前記かご室の外に設けられた点検灯と、
オンであれば前記点検灯を点灯させ、オフであれば前記点検灯を消灯させる第１スイッチと、
前記かご室に形成された出入口を開閉するドアと、
利用者が前記出入口から前記かご室に進入することを防止するための第１位置及び防止しない第２位置に配置可能な進入防止手段と、
前記進入防止手段が前記第１位置に配置された状態を検出する検出手段と、
オフであれば運転モードを自動モードに設定し、オンであれば手動モードに設定する第３スイッチと、
前記検出手段が前記状態を検出せず、且つ前記第３スイッチがオフである場合に、強制消灯条件が成立したことを判定する判定手段と、
前記第１スイッチがオンである時に前記強制消灯条件が成立すると、前記点検灯を消灯させる強制消灯手段と、
を備えたエレベーター装置。
【請求項４】
エレベーターのかご室と、
前記かご室の外に設けられた点検灯と、
オンであれば前記点検灯を点灯させ、オフであれば前記点検灯を消灯させる第１スイッチと、
前記かご室に形成された出入口を開閉するドアと、
前記出入口を上方向又は下方向に進む光を放ち、その光が遮られることによって異物を検出する光電センサと、
オフであれば発報を許可し、オンであれば発報を禁止する第２スイッチと、
オフであれば運転モードを自動モードに設定し、オンであれば手動モードに設定する第３スイッチと、
前記光電センサによって異物が検出されず、且つ前記第２スイッチ又は前記第３スイッチの少なくとも一方がオフである場合に、強制消灯条件が成立したことを判定する判定手段と、
前記第１スイッチがオンである時に前記強制消灯条件が成立すると、前記点検灯を消灯させる強制消灯手段と、
を備えたエレベーター装置。
【請求項５】
エレベーターのかご室と、
前記かご室の外に設けられた点検灯と、
オンであれば前記点検灯を点灯させ、オフであれば前記点検灯を消灯させる第１スイッチと、
前記かご室に形成された出入口を開閉するドアと、
前記出入口を上方向又は下方向に進む光を放ち、その光が遮られることによって異物を検出する光電センサと、
オフであれば発報を許可し、オンであれば発報を禁止する第２スイッチと、
前記光電センサによって異物が検出されず、且つ前記第２スイッチがオフである場合に、強制消灯条件が成立したことを判定する判定手段と、
前記第１スイッチがオンである時に前記強制消灯条件が成立すると、前記点検灯を消灯させる強制消灯手段と、
を備えたエレベーター装置。
【請求項６】
エレベーターのかご室と、
前記かご室の外に設けられた点検灯と、
オンであれば前記点検灯を点灯させ、オフであれば前記点検灯を消灯させる第１スイッチと、
前記かご室に形成された出入口を開閉するドアと、
前記出入口を上方向又は下方向に進む光を放ち、その光が遮られることによって異物を検出する光電センサと、
オフであれば運転モードを自動モードに設定し、オンであれば手動モードに設定する第３スイッチと、
前記光電センサによって異物が検出されず、且つ前記第３スイッチがオフである場合に、強制消灯条件が成立したことを判定する判定手段と、
前記第１スイッチがオンである時に前記強制消灯条件が成立すると、前記点検灯を消灯させる強制消灯手段と、
を備えたエレベーター装置。
【請求項７】
前記出入口は、
第１柱と、
前記第１柱と一定の間隔を空けて配置された第２柱と、
前記第１柱及び前記第２柱に跨るように配置された上枠と、
によって形成され、
前記光電センサは、
前記第１柱に設けられた発光器と、
前記上枠に設けられ、前記発光器からの光を受けるための受光器と、
を備えた請求項４から請求項６の何れか一項に記載のエレベーター装置。
【請求項８】
前記強制消灯手段は、前記第１スイッチがオンである時に前記強制消灯条件が成立すると、前記強制消灯条件が成立してから一定時間が経過した後に前記点検灯を消灯させる請求項１から請求項７の何れか一項に記載のエレベーター装置。
【発明の詳細な説明】
【技術分野】
【０００１】
この発明は、エレベーター装置に関する。
【背景技術】
【０００２】
特許文献１に、エレベーター装置が記載されている。特許文献１に記載されたエレベーター装置は、かごの上下に点検灯を備える。また、かご内に点検灯スイッチが設けられる。点検灯スイッチがオンになると、点検灯が点灯する。点検灯スイッチがオフになると、点検灯が消灯する。また、点検灯スイッチがオンになってから一定時間が経過すると、点検灯が自動的に消灯する。
【先行技術文献】
【特許文献】
【０００３】
【特許文献１】特開平６−１０７３８４号公報
【発明の概要】
【発明が解決しようとする課題】
【０００４】
特許文献１に記載されたエレベーター装置では、保守員が点検灯スイッチを切り忘れた場合でも、点検灯スイッチがオンになってから一定時間が経過すると、点検灯が自動的に消灯する。しかし、昇降路内での保守作業が長引いて上記一定時間が経過すると、保守員が昇降路内で保守作業を行っているにも関わらず、点検灯が自動的に消えてしまうといった問題があった。
【０００５】
この発明は、上述のような課題を解決するためになされた。この発明の目的は、保守作業後の点検灯の消し忘れを防止でき、且つ保守員が昇降路内で保守作業を行っている間に点検灯が消えてしまうことを防止できるエレベーター装置を提供することである。
【課題を解決するための手段】
【０００６】
この発明に係るエレベーター装置は、エレベーターのかご室と、かご室の外に設けられた点検灯と、オンであれば点検灯を点灯させ、オフであれば点検灯を消灯させる第１スイッチと、かご室に形成された出入口を開閉するドアと、利用者が出入口からかご室に進入することを防止するための第１位置及び防止しない第２位置に配置可能な進入防止手段と、進入防止手段が第１位置に配置された状態を検出する検出手段と、オフであれば発報を許可し、オンであれば発報を禁止する第２スイッチと、オフであれば運転モードを自動モードに設定し、オンであれば手動モードに設定する第３スイッチと、検出手段が状態を検出せず、且つ第２スイッチ又は第３スイッチの少なくとも一方がオフである場合に、強制消灯条件が成立したことを判定する判定手段と、第１スイッチがオンである時に強制消灯条件が成立すると、点検灯を消灯させる強制消灯手段と、を備える。
【０００７】
この発明に係るエレベーター装置は、エレベーターのかご室と、かご室の外に設けられた点検灯と、オンであれば点検灯を点灯させ、オフであれば点検灯を消灯させる第１スイッチと、かご室に形成された出入口を開閉するドアと、利用者が出入口からかご室に進入することを防止するための第１位置及び防止しない第２位置に配置可能な進入防止手段と、進入防止手段が第１位置に配置された状態を検出する検出手段と、オフであれば発報を許可し、オンであれば発報を禁止する第２スイッチと、検出手段が状態を検出せず、且つ第２スイッチがオフである場合に、強制消灯条件が成立したことを判定する判定手段と、第１スイッチがオンである時に強制消灯条件が成立すると、点検灯を消灯させる強制消灯手段と、を備える。
【０００８】
この発明に係るエレベーター装置は、エレベーターのかご室と、かご室の外に設けられた点検灯と、オンであれば点検灯を点灯させ、オフであれば点検灯を消灯させる第１スイッチと、かご室に形成された出入口を開閉するドアと、利用者が出入口からかご室に進入することを防止するための第１位置及び防止しない第２位置に配置可能な進入防止手段と、進入防止手段が第１位置に配置された状態を検出する検出手段と、オフであれば運転モードを自動モードに設定し、オンであれば手動モードに設定する第３スイッチと、検出手段が状態を検出せず、且つ第３スイッチがオフである場合に、強制消灯条件が成立したことを判定する判定手段と、第１スイッチがオンである時に強制消灯条件が成立すると、点検灯を消灯させる強制消灯手段と、を備える。
【０００９】
この発明に係るエレベーター装置は、エレベーターのかご室と、かご室の外に設けられた点検灯と、オンであれば点検灯を点灯させ、オフであれば点検灯を消灯させる第１スイッチと、かご室に形成された出入口を開閉するドアと、出入口を上方向又は下方向に進む光を放ち、その光が遮られることによって異物を検出する光電センサと、オフであれば発報を許可し、オンであれば発報を禁止する第２スイッチと、オフであれば運転モードを自動モードに設定し、オンであれば手動モードに設定する第３スイッチと、光電センサによって異物が検出されず、且つ第２スイッチ又は第３スイッチの少なくとも一方がオフである場合に、強制消灯条件が成立したことを判定する判定手段と、第１スイッチがオンである時に強制消灯条件が成立すると、点検灯を消灯させる強制消灯手段と、を備える。
【００１０】
この発明に係るエレベーター装置は、エレベーターのかご室と、かご室の外に設けられた点検灯と、オンであれば点検灯を点灯させ、オフであれば点検灯を消灯させる第１スイッチと、かご室に形成された出入口を開閉するドアと、出入口を上方向又は下方向に進む光を放ち、その光が遮られることによって異物を検出する光電センサと、オフであれば発報を許可し、オンであれば発報を禁止する第２スイッチと、光電センサによって異物が検出されず、且つ第２スイッチがオフである場合に、強制消灯条件が成立したことを判定する判定手段と、第１スイッチがオンである時に強制消灯条件が成立すると、点検灯を消灯させる強制消灯手段と、を備える。
【００１１】
この発明に係るエレベーター装置は、エレベーターのかご室と、かご室の外に設けられた点検灯と、オンであれば点検灯を点灯させ、オフであれば点検灯を消灯させる第１スイッチと、かご室に形成された出入口を開閉するドアと、出入口を上方向又は下方向に進む光を放ち、その光が遮られることによって異物を検出する光電センサと、オフであれば運転モードを自動モードに設定し、オンであれば手動モードに設定する第３スイッチと、光電センサによって異物が検出されず、且つ第３スイッチがオフである場合に、強制消灯条件が成立したことを判定する判定手段と、第１スイッチがオンである時に強制消灯条件が成立すると、点検灯を消灯させる強制消灯手段と、を備える。
【発明の効果】
【００１２】
この発明に係るエレベーター装置であれば、保守作業後の点検灯の消し忘れを防止でき、且つ保守員が昇降路内で保守作業を行っている間に点検灯が消えてしまうことを防止できる。
【図面の簡単な説明】
【００１３】
【図１】実施の形態１におけるエレベーター装置の例を示す図である。
【図２】かごの例を示す図である。
【図３】エレベーター装置の要部を示す図である。
【図４】制御装置の動作例を示すフローチャートである。
【図５】かごの他の例を示す図である。
【図６】制御装置の他の動作例を示すフローチャートである。
【図７】制御装置のハードウェア資源の例を示す図である。
【図８】制御装置のハードウェア資源の他の例を示す図である。
【発明を実施するための形態】
【００１４】
添付の図面を参照し、本発明を説明する。重複する説明は、適宜簡略化或いは省略する。各図において、同一の符号は同一の部分又は相当する部分を示す。
【００１５】
実施の形態１．
図１は、実施の形態１におけるエレベーター装置の例を示す図である。エレベーター装置は、例えばかご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。
【００１６】
主ロープ４は、例えば巻上機５の駆動綱車６に巻き掛けられる。巻上機５は、制御装置７によって制御される。即ち、かご１の移動及び停止は、制御装置７によって制御される。制御装置７に、監視装置８が接続される。監視装置８は、外部の監視センターと通信する機能を有する。監視装置８は、エレベーター装置の保守機能を有する。
【００１７】
図２は、かご１の例を示す図である。図３は、エレベーター装置の要部を示す図である。かご１は、例えばかご室１１、ドア１２、モータ１３、点検灯１４、進入防止ベルト１５、検出センサ１６、及び操作盤１７を備える。図２は、かご室１１の内部を示す。
【００１８】
かご室１１に出入口が形成される。かご室１１の出入口は、例えば柱２１、柱２２、及び上枠２３によって形成される。柱２１及び柱２２は、一定の間隔を空けて配置される。上枠２３は、柱２１と柱２２とに跨るように配置される。ドア１２は、かご室１１に形成された出入口を開閉する。モータ１３は、ドア１２を開閉するための駆動力を発生させる。モータ１３は、例えば制御装置７によって制御される。
【００１９】
点検灯１４は、エレベーターの保守員が昇降路３内で保守作業を行う際に使用する電灯である。点検灯１４は、かご室１１の外に設けられる。図１は、かご室１１の上とかご室１１の下とに点検灯１４が設けられる例を示す。点検灯１４が設けられる位置は図１に示す例に限定されない。例えば、点検灯１４は、かご室１１の上のみに設けられても良い。
【００２０】
進入防止ベルト１５は、エレベーターの保守員が保守作業を行っている時に利用者がかご室１１に進入することを防止する手段の一例である。進入防止ベルト１５は、例えば第１位置及び第２位置に配置可能である。第１位置は、利用者が出入口からかご室１１に進入することを防止するための位置である。第２位置は、利用者がかご室１１に進入することを防止しない位置である。
【００２１】
例えば、進入防止ベルト１５は、使用する際に柱２２から引き出される。進入防止ベルト１５は、先端部が柱２１に固定されることにより、第１位置に配置される。図２は、進入防止ベルト１５が第１位置に配置された例を示す。進入防止ベルト１５は、先端部が柱２１から外されて柱２２に収納されることにより、第２位置に配置される。
【００２２】
他の例として、進入防止ベルト１５は、エレベーターの保守員に携帯される。かかる場合、進入防止ベルト１５は、使用する際に保守員によって柱２１と柱２２との間に取り付けられる。例えば、進入防止ベルト１５は、一方の端部が柱２１に、他方の端部が柱２２に取り付けられることにより、第１位置に配置される。進入防止ベルト１５は、柱２１及び柱２２から取り外されることにより、第２位置に配置される。この例では、保守員は、進入防止ベルト１５を他の現場でも使用することができる。
【００２３】
検出センサ１６は、進入防止ベルト１５が第１位置に配置された状態を検出する手段の一例である。以下の説明では、上記状態を進入防止状態ともいう。例えば、進入防止ベルト１５の先端部がフックに掛けられることによって柱２１に固定される場合、検出センサ１６は、進入防止ベルト１５の先端部が上記フックに掛けられると、進入防止状態を検出する。他の例として、検出センサ１６は、進入防止ベルト１５の各端部が磁石によって柱２１及び柱２２に固定されると、進入防止状態を検出する。検出センサ１６は、進入防止ベルト１５が第１位置に配置された状態を他の方法によって検出しても良い。
【００２４】
操作盤１７は、例えば表示器、行先ボタン、ドア１２の開ボタン、及びドア１２の閉ボタンを備える。
【００２５】
更に、エレベーター装置には、保守作業中に操作される複数のスイッチが備えられる。エレベーター装置は、例えば点検灯スイッチ３１、モードスイッチ３２、及びメンテナンススイッチ３３を備える。
【００２６】
点検灯スイッチ３１は、点検灯１４を点灯及び消灯させるためのスイッチである。点検灯スイッチ３１は、例えばかご１の操作盤１７に設けられる。例えば、点検灯スイッチ３１がオンであれば、点検灯１４は点灯する。点検灯スイッチ３１がオフであれば、点検灯１４は消灯する。例えば、エレベーターの保守員は、昇降路３内で保守作業を行う必要がある時に、点検灯スイッチ３１をオンにする。保守員は、昇降路３内での保守作業が終了すると、点検灯スイッチ３１をオフにする。図３は、点検灯スイッチ３１が制御装置７を介して点検灯１４に接続される例を示す。点検灯スイッチ３１は、制御装置７を介さずに点検灯１４に接続されても良い。
【００２７】
モードスイッチ３２は、エレベーターの運転モードの設定を切り替えるためのスイッチである。モードスイッチ３２は、例えば制御装置７に設けられる。例えば、モードスイッチ３２がオフであれば、運転モードが自動モードに設定される。自動モードは、登録された呼びにかご１を自動で応答させる運転モードである。モードスイッチ３２がオンであれば、運転モードが手動モードに設定される。手動モードは、保守員が専用の機器或いは操作盤１７から手動でかご１を移動させるための運転モードである。
【００２８】
メンテナンススイッチ３３は、外部への発報の設定を切り替えるためのスイッチである。メンテナンススイッチ３３は、例えば制御装置７に設けられる。例えば、メンテナンススイッチ３３がオフであれば、外部への発報が許可される。例えば、運転モードが自動モードに設定されている場合、メンテナンススイッチ３３は基本的にオフである。メンテナンススイッチ３３がオフである時に特定の異常が検出されると、監視装置８から監視センターに発報が行われる。
【００２９】
メンテナンススイッチ３３がオンであれば、外部への発報が禁止される。例えば、エレベーターの保守員は、保守作業を開始する時にメンテナンススイッチ３３をオンにする。このため、保守員が保守作業を行っている間は、基本的に、監視センターへの発報は行われない。保守員は、保守作業が終了するとメンテナンススイッチ３３をオフにする。
【００３０】
以下に、図４も参照し、本エレベーター装置が有する具体的な機能について説明する。図４は、制御装置７の動作例を示すフローチャートである。制御装置７は、図３に示すように、例えば判定部４１及び強制消灯部４２を備える。
【００３１】
判定部４１は、点検灯スイッチ３１がオンであるか否かを判定する（Ｓ１０１）。点検灯スイッチ３１がオフであれば（Ｓ１０１のＮｏ）、点検灯１４は消灯する（Ｓ１０２）。点検灯スイッチ３１がオンであれば（Ｓ１０１のＹｅｓ）、点検灯１４は点灯する（Ｓ１０３）。
【００３２】
点検灯１４が点灯している場合、判定部４１は、メンテナンススイッチ３３がオフであるか否かを判定する（Ｓ１０４）。メンテナンススイッチ３３がオンであれば（Ｓ１０４のＮｏ）、判定部４１は、モードスイッチ３２がオフであるか否かを判定する（Ｓ１０５）。メンテナンススイッチ３３及びモードスイッチ３２の双方がオンであれば（Ｓ１０５のＮｏ）、制御装置７は、Ｓ１０１の処理に戻る。
【００３３】
Ｓ１０４又はＳ１０５でＹｅｓと判定すると、判定部４１は、検出センサ１６が進入防止状態を検出しているか否かを判定する（Ｓ１０６）。検出センサ１６が進入防止状態を検出していれば（Ｓ１０６のＹｅｓ）、制御装置７は、Ｓ１０１の処理に戻る。
【００３４】
一方、検出センサ１６が進入防止状態を検出していなければ（Ｓ１０６のＮｏ）、判定部４１は、強制消灯条件が成立したことを判定する（Ｓ１０７）。即ち、判定部４１は、検出センサ１６が進入防止状態を検出せず、且つメンテナンススイッチ３３又はモードスイッチ３２の少なくとも一方がオフである場合に、強制消灯条件が成立したことをＳ１０７で判定する。
【００３５】
Ｓ１０７で強制消灯条件が成立した場合、即ち点検灯スイッチ３１がオンである時に強制消灯条件が成立すると、強制消灯部４２は、点検灯１４を強制的に消灯するための処理を開始する。例えば、強制消灯部４２は、強制消灯条件が成立してから一定時間が経過したか否かを判定する（Ｓ１０８）。上記一定時間は、任意の時間で良い。例えば、上記一定時間は、１０分である。上記一定時間は、極短い時間であっても良い。強制消灯条件が成立してから一定時間が経過すると（Ｓ１０８のＹｅｓ）、強制消灯部４２は、点検灯１４を消灯させる（Ｓ１０９）。また、点検灯スイッチ３１がオフになる（Ｓ１１０）。
【００３６】
本実施の形態に示す例では、Ｓ１０７で強制消灯条件が成立すると、点検灯１４が自動的に消灯する。このため、保守作業後の点検灯１４の消し忘れを防止できる。また、保守員が昇降路３内で保守作業を行う場合は、利用者が間違ってかご室１１に入ってしまうことを防止するために、進入防止ベルト１５が第１位置に配置される。本実施の形態に示す例では、進入防止ベルト１５が第１位置に配置されていれば強制消灯条件は成立しない。このため、保守員が昇降路３内で保守作業を行っている間に点検灯１４が消えてしまうことを防止できる。
【００３７】
上記例では、強制消灯条件が成立するか否かの判定に、メンテナンススイッチ３３とモードスイッチ３２との双方を利用する例について説明した。強制消灯条件が成立するか否かの判定に、モードスイッチ３２を利用しなくても良い。かかる場合、図４に示す動作フローにおいて、Ｓ１０５の処理は行われない。Ｓ１０４においてメンテナンススイッチ３３がオンであれば、制御装置７は、Ｓ１０１の処理に戻る。また、判定部４１は、検出センサ１６が進入防止状態を検出せず、且つメンテナンススイッチ３３がオフである場合に、強制消灯条件が成立したことをＳ１０７で判定する。
【００３８】
他の例として、強制消灯条件が成立するか否かの判定にメンテナンススイッチ３３を利用しなくても良い。かかる場合、図４に示す動作フローにおいて、Ｓ１０４の処理は行われない。点検灯１４が点灯してれば（Ｓ１０３）、判定部４１は、モードスイッチ３２がオフであるか否かを判定する（Ｓ１０５）。また、判定部４１は、検出センサ１６が進入防止状態を検出せず、且つモードスイッチ３２がオフである場合に、強制消灯条件が成立したことをＳ１０７で判定する。
【００３９】
上記例では、強制消灯条件が成立するか否かの判定に、検出センサ１６を利用する例について説明した。強制消灯条件が成立するか否かの判定において、検出センサ１６を利用する代わりに光電センサ１８を利用しても良い。光電センサ１８は、かご１に備えられる。光電センサ１８は、ドア１２が開く時にドア１２に異物が引き込まれることを防止するためのセンサである。光電センサ１８は、出入口を上方向或いは下方向に進む光を放ち、その光が遮られることによって異物を検出する。
【００４０】
図５は、かご１の他の例を示す図である。図５は、かご室１１の内部を示す。光電センサ１８は、例えば発光器３４及び受光器３５を備える。発光器３４は、柱２１に設けられる。発光器３４は、斜め上向きに光を発する。発光器３４からの光は、斜め上向きに出入口を進む。受光器３５は、上枠２３に設けられる。受光器３５は、発光器３４からの光を受けることができる位置に配置される。
【００４１】
図５に示す例では、進入防止ベルト１５が第１位置に配置されると、発光器３４からの光が進入防止ベルト１５によって遮られる。受光器３５は、発光器３４からの光を受けることができない。このため、進入防止ベルト１５が第１位置に配置されると、光電センサ１８は異物を検出する。
【００４２】
図６は、制御装置７の他の動作例を示すフローチャートである。図６のＳ２０１からＳ２０５に示す処理は、図４のＳ１０１からＳ１０５に示す処理と同様である。判定部４１は、Ｓ２０４又はＳ２０５でＹｅｓと判定すると、光電センサ１８が異物を検出しているか否かを判定する（Ｓ２０６）。光電センサ１８が異物を検出していれば（Ｓ２０６のＹｅｓ）、制御装置７は、Ｓ２０１の処理に戻る。
【００４３】
一方、光電センサ１８が異物を検出していなければ（Ｓ２０６のＮｏ）、判定部４１は、強制消灯条件が成立したことを判定する（Ｓ２０７）。即ち、判定部４１は、光電センサ１８によって異物が検出されず、且つメンテナンススイッチ３３又はモードスイッチ３２の少なくとも一方がオフである場合に、強制消灯条件が成立したことをＳ２０７で判定する。
【００４４】
図６のＳ２０８からＳ２１０に示す処理は、図４のＳ１０８からＳ１１０に示す処理と同様である。
【００４５】
図６に示す例であっても、保守作業後の点検灯１４の消し忘れを防止できる。また、保守員が昇降路３内で保守作業を行っている間に点検灯１４が消えてしまうことを防止できる。
【００４６】
図６に示す例では、強制消灯条件が成立するか否かの判定に、メンテナンススイッチ３３とモードスイッチ３２との双方を利用する例について説明した。強制消灯条件が成立するか否かの判定に、モードスイッチ３２を利用しなくても良い。かかる場合、図６に示す動作フローにおいて、Ｓ２０５の処理は行われない。Ｓ２０４においてメンテナンススイッチ３３がオンであれば、制御装置７は、Ｓ２０１の処理に戻る。また、判定部４１は、光電センサ１８によって異物が検出されず、且つメンテナンススイッチ３３がオフである場合に、強制消灯条件が成立したことをＳ２０７で判定する。
【００４７】
他の例として、強制消灯条件が成立するか否かの判定にメンテナンススイッチ３３を利用しなくても良い。かかる場合、図６に示す動作フローにおいて、Ｓ２０４の処理は行われない。点検灯１４が点灯してれば（Ｓ２０３）、判定部４１は、モードスイッチ３２がオフであるか否かを判定する（Ｓ２０５）。また、判定部４１は、光電センサ１８によって異物が検出されず、且つモードスイッチ３２がオフである場合に、強制消灯条件が成立したことをＳ２０７で判定する。
【００４８】
本実施の形態において、符号４１〜４２に示す各部は、制御装置７が有する機能を示す。図７は、制御装置７のハードウェア資源の例を示す図である。制御装置７は、ハードウェア資源として、例えばプロセッサ５１とメモリ５２とを含む処理回路５０を備える。制御装置７は、メモリ５２に記憶されたプログラムをプロセッサ５１によって実行することにより、符号４１〜４２に示す各部の機能を実現する。
【００４９】
図８は、制御装置７のハードウェア資源の他の例を示す図である。図８に示す例では、制御装置７は、例えばプロセッサ５１、メモリ５２、及び専用ハードウェア５３を含む処理回路５０を備える。図８は、制御装置７が有する機能の一部を専用ハードウェア５３によって実現する例を示す。制御装置７が有する機能の全部を専用ハードウェア５３によって実現しても良い。
【符号の説明】
【００５０】
１  かご、  ２  つり合いおもり、  ３  昇降路、  ４  主ロープ、  ５  巻上機、  ６  駆動綱車、  ７  制御装置、  ８  監視装置、  １１  かご室、  １２  ドア、  １３  モータ、  １４  点検灯、  １５  進入防止ベルト、  １６  検出センサ、  １７  操作盤、  １８  光電センサ、  ２１  柱、  ２２  柱、  ２３  上枠、  ３１  点検灯スイッチ、  ３２  モードスイッチ、  ３３  メンテナンススイッチ、  ３４  発光器、  ３５  受光器、  ４１  判定部、  ４２  強制消灯部、  ５０  処理回路、  ５１  プロセッサ、  ５２  メモリ、  ５３  専用ハードウェア
【図１】
2020037471.tif 000003
【図２】
2020037471.tif 000004
【図３】
2020037471.tif 000005
【図４】
2020037471.tif 000006
【図５】
2020037471.tif 000007
【図６】
2020037471.tif 000008
【図７】
2020037471.tif 000009
【図８】
2020037471.tif 000010